(57)【特許請求の範囲】
【請求項１】
設定を受け付ける操作パネルと、
読取位置を通過する原稿を読み取る読取ユニットと、
原稿トレイにセットされた原稿を送り出す給紙ローラーと、前記給紙ローラーから前記読取位置までの第１搬送路と、前記第１搬送路に設けられ原稿が存在しているか否かを検知する検知部と、正回転して原稿をニップしつつ原稿の一部を外部に排出した状態で停止し、その後逆回転する反転ローラー対と、前記読取位置から前記反転ローラー対までの第２搬送路と、一端が前記第１搬送路に接続され他端が前記第２搬送路に接続されスイッチバックされた原稿を通過させて前記読取位置の上流側に送り返すための第３搬送路と、原稿搬送を制御する搬送制御部と、を含む搬送ユニットと、を備え、
前記反転ローラー対は、逆回転したとき原稿を前記第３搬送路に送り込み、
前記操作パネルは、原稿の両面読取と、原稿の原稿搬送方向の後端の一部が欠け、欠けている部分が前記検知部の検知域を通過する切り欠き原稿を読み取る切り欠き原稿モードの適用を受け付け、
原稿の両面読み取りで前記切り欠き原稿モードが適用されていない場合、
前記搬送制御部は、前記検知部が原稿有りを検知している状態から原稿無しを検知した時点である後端通過時点から、予め定められた基準距離、原稿を搬送した時点で前記反転ローラー対を停止させ、それから前記反転ローラー対の逆回転を開始させ、
原稿の両面読み取りで前記切り欠き原稿モードが適用されている場合、
前記搬送制御部は、
原稿の後側が切り欠き部分であるか否かを確認し、
原稿の後側が前記切り欠き部分と判断したとき、前記後端通過時点から予め定められた又は認識された原稿搬送方向の切り欠き幅に基づき定めた追加距離を前記基準距離に加えた距離、原稿を搬送した時点で前記反転ローラー対を停止させ、前記反転ローラー対の逆回転を開始させることを特徴とする読取装置。
【請求項２】
設定を受け付ける操作パネルと、
読取位置を通過する原稿を読み取る読取ユニットと、
原稿トレイにセットされた原稿を送り出す給紙ローラーと、前記給紙ローラーから前記読取位置までの第１搬送路と、前記第１搬送路に設けられ原稿が存在しているか否かを検知する検知部と、正回転して原稿をニップしつつ原稿の一部を外部に排出した状態で停止し、その後逆回転する反転ローラー対と、前記読取位置から前記反転ローラー対までの第２搬送路と、一端が前記第１搬送路に接続され他端が前記第２搬送路に接続されスイッチバックされた原稿を通過させて前記読取位置の上流側に送り返すための第３搬送路と、原稿搬送を制御する搬送制御部と、を含む搬送ユニットと、を備え、
前記反転ローラー対は、逆回転したとき原稿を前記第３搬送路に送り込み、
前記操作パネルは、原稿の両面読取と、原稿の原稿搬送方向の後端の一部が欠け、欠けている部分が前記検知部の検知域を通過する切り欠き原稿を読み取る切り欠き原稿モードの適用を受け付け、
原稿の両面読み取りで前記切り欠き原稿モードが適用されていない場合、
前記搬送制御部は、前記検知部が原稿有りを検知している状態から原稿無しを検知した時点である後端通過時点から、予め定められた基準距離、原稿を搬送した時点で前記反転ローラー対を停止させ、それから前記反転ローラー対の逆回転を開始させ、
原稿の両面読み取りで前記切り欠き原稿モードが適用されている場合、
前記搬送制御部は、
原稿の後側が切り欠き部分であるか否かを確認し、
原稿の後側が前記切り欠き部分と判断したとき、前記後端通過時点から予め定められた又は認識された原稿搬送方向の切り欠き幅に基づき定めた追加距離を前記基準距離に加えた距離、原稿を搬送した時点で前記反転ローラー対を停止させ、前記反転ローラー対の逆回転を開始させ、
原稿の前側が前記切り欠き部分と判断したとき、前記後端通過時点から前記基準距離を搬送した時点で前記反転ローラー対を停止させ、それから前記反転ローラー対の逆回転を開始させることを特徴とする読取装置。
【請求項３】
前記第２搬送路の途中と排出口に接続された排出搬送路と、
可動して、原稿を前記反転ローラー対又は前記排出口に導く可動ガイド板を含み、
前記搬送制御部は、前記反転ローラー対に原稿の２回スイッチバックを行わせ、２回のスイッチバックが行われるまで前記反転ローラー対に原稿を導くように前記可動ガイド板を移動させ、２回のスイッチバックがなされると、前記排出口に原稿を導くように前記可動ガイド板を移動させることを特徴とする請求項２に記載の読取装置。
【請求項４】
前記操作パネルは、前記切り欠き幅の入力を受け付け、
前記搬送制御部は、入力された前記切り欠き幅を認識し、認識した前記切り欠き幅、又は、認識した前記切り欠き幅に予め定められたマージンを加えた距離を前記追加距離と定めることを特徴とする請求項１乃至３の何れか１項に記載の読取装置。
【請求項５】
前記第１搬送路の途中に、原稿が存在しているか否かを検知するための原稿センサーが主走査方向の異なる位置に複数設けられ、
前記搬送制御部は、原稿の存在を検知している状態から存在を検知できなくなった時点までの各前記原稿センサーの時間差に予め定められた原稿搬送速度を乗じて前記切り欠き幅を認識し、認識した前記切り欠き幅、又は、認識した前記切り欠き幅に予め定められたマージンを加えた距離を前記追加距離と定めることを特徴とする請求項１乃至３の何れか１項に記載の読取装置。
【請求項６】
前記切り欠き原稿モードは、前記切り欠き原稿であって、原稿の読み取り開始タイミングと読み取り終了タイミングを調整するための調整原稿を読み取るタイミング調整モードを含み、
前記読取ユニットは、読み取り位置を通過する原稿に光を照射するランプと、原稿を読み取るためのイメージセンサーと、前記ランプ及び前記イメージセンサーの動作を制御する読取制御部を含み、
前記タイミング調整モードのとき、
前記読取制御部は、前記調整原稿の読み取り結果に基づき原稿の読み取り開始タイミングと読み取り終了タイミングを調整することを特徴とする請求項１乃至５の何れか１項に記載の読取装置。
【請求項７】
請求項１乃至６の何れか１項に記載の読取装置を含むことを特徴とする画像形成装置。
【発明の詳細な説明】
【技術分野】
【０００１】
本発明は、原稿を搬送して読み取る読取装置、画像形成装置に関する。
【背景技術】
【０００２】
複合機、複写機、プリンター、ＦＡＸ装置のような画像形成装置には、原稿を読み取って画像データを得るため、読取装置（スキャナー）が設けられることがある。また、複数枚の原稿を短時間で読み取れるように、セット原稿を自動的、連続的に読取位置に搬送するタイプの読取装置が画像形成装置に取り付けられることがある。このような原稿読取装置の一例が特許文献１に記載されている。
【０００３】
具体的に特許文献１には、原稿を複数枚収納可能な原稿トレイから供給される原稿を装置内に導入し、導入された原稿を自動的に搬送する原稿搬送装置を備え、原稿搬送装置は、給紙ローラーの下流側に近接して第１原稿検出センサーを配置し、給紙ローラーの下流側に配される搬送ローラーの下流側に近接して第２原稿検出センサーを配置し、第１原稿検出センサー及び第２の原稿検出センサーから出力される検出信号に基づき原稿の搬送状態を検出する原稿読取装置が記載されている。この構成により、簡単な構成で原稿の斜め搬送や給紙タイミングのずれによる原稿読取不良を防止しようとする（特許文献１：請求項１、段落［００１１］参照）。
【先行技術文献】
【特許文献】
【０００４】
【特許文献１】特開２００８−１１３３５３号公報
【発明の概要】
【発明が解決しようとする課題】
【０００５】
読取装置には、搬送原稿のスイッチバックを行って原稿の両面を読み取るものがある。このような読取装置では、表面読取後、使用者が原稿の裏面をセットし直さずにすむ。この方式の読取装置は、読取位置を通過させて一方の面を読み取った原稿をスイッチバックし、スイッチバックした原稿を読取位置の上流側に送り返し、再度、読取位置を通過させて原稿の他面を読み取る。
【０００６】
具体的に、スイッチバックのとき、スイッチバック用ローラー対は、読取位置を通過した後の原稿（一方の面が読み取られた原稿）をいったん機外に排出する方向に搬送する。そして、スイッチバック用ローラー対のニップから原稿が外れる前に（排出しきる前に）スイッチバック用ローラー対を逆回転させる。そして、スイッチバック用ローラー対は、読取位置の上流側に接続された戻し用搬送路に原稿を送り込む。このスイッチバックによって、原稿の前後は逆転する。
【０００７】
読取位置からスイッチバック用ローラーまでの搬送路と戻し用搬送路の分岐点を原稿の後端が通過する前にスイッチバックを行うと、搬送されてきた方向に原稿を送り返してしまう。このような逆送は原稿の破損や紙詰まりの原因となるので避ける必要がある。
【０００８】
ここで、スイッチバック用ローラーの回転停止と逆回転の開始のタイミングは、搬送経路に設けられたセンサー出力に基づき定められることがある。この場合、センサーが原稿の後端通過検知から原稿の後端が分岐点を通過したと認められる時点（後端通過の検知時点から一定時間経過した時点）で、スイッチバック用ローラーの回転停止と逆回転（スイッチバック）がなされる。
【０００９】
一方、原稿の後端の一部が切り取られている原稿（切り欠き原稿）が読取装置にセットされることがある。例えば、ハサミやカッターを用いた加工により、使用者が原稿の一部を切り取る場合がある。このような原稿では、切り欠き部分とセンサーの検知域が重なる場合、センサーは、原稿の最後端（最後尾、切り取られていない部分）がセンサーの設置位置（設置ライン）を通過する前に原稿後端通過を検知する。言い換えると、センサーが後端通過を検知すべき時点よりも早く後端通過を検知する。そのため、原稿の最後端が分岐点を通過しきる前にスイッチバックが開始されることがある。その結果、切り欠き原稿の逆送、破損、紙詰まりが生ずる場合がある。従って、切り欠き原稿の破損や紙詰まりを生じないようにスイッチバックすべきであるという問題がある。
【００１０】
尚、特許文献１に記載の技術は、斜め搬送のような原稿の状態を検知する。しかし、切り欠き原稿に関するものではない。そのため、特許文献１に記載の原稿搬送装置は、切り欠き原稿のスイッチバック時の問題に対応できない。しかも、特許文献１記載の原稿搬送装置は、２つのセンサーを用いる。切り欠き原稿の読み取りのとき、一方のセンサーの検知域を切り欠き部分が通過し、他方のセンサーの検知域を切り欠きのない部分が通過する場合、状態誤検知が生ずる。
【００１１】
本発明は、上記従来技術の問題点に鑑みてなされたものであり、スイッチバック時の切り欠き原稿の破損や紙詰まりを無くす。
【課題を解決するための手段】
【００１２】
上記課題を解決するため、読取装置は、操作パネル、読取ユニット、搬送ユニットを備える。前記操作パネルは、設定を受け付ける。前記読取ユニットは、読取装置を通過する原稿を読み取る。前記搬送ユニットは、原稿トレイにセットされた原稿を送り出す給紙ローラーと、前記給紙ローラーから前記読取位置までの第１搬送路と、前記第１搬送路に設けられ原稿が存在しているか否かを検知する検知部と、正回転して原稿をニップしつつ原稿の一部を外部に排出した状態で停止し、その後逆回転する反転ローラー対と、前記読取位置から前記反転ローラー対までの第２搬送路と、一端が前記第１搬送路に接続され他端が前記第２搬送路に接続されスイッチバックされた原稿を通過させて前記読取位置の上流側に送り返すための第３搬送路と、原稿搬送を制御する搬送制御部と、を含む。前記反転ローラー対は、逆回転したとき原稿を前記第３搬送路に送り込む。前記操作パネルは、原稿の両面読取と、原稿の原稿搬送方向の後端の一部が欠け、欠けている部分が前記検知部の検知域を通過する切り欠き原稿を読み取る切り欠き原稿モードの適用を受け付ける。原稿の両面読み取りで前記切り欠き原稿モードが適用されていない場合、前記搬送制御部は、前記検知部が原稿有りを検知している状態から原稿無しを検知した時点である後端通過時点から、予め定められた基準距離、原稿を搬送した時点で前記反転ローラー対を停止させ、それから前記反転ローラー対の逆回転を開始させる。原稿の両面読み取りで前記切り欠き原稿モードが適用されている場合、前記搬送制御部は、原稿の後側が切り欠き部分であるか否かを確認し、原稿の後側が前記切り欠き部分と判断したとき、前記後端通過時点から予め定められた又は認識された原稿搬送方向の切り欠き幅に基づき定めた追加距離を前記基準距離に加えた距離、原稿を搬送した時点で前記反転ローラー対を停止させ、前記反転ローラー対の逆回転を開始させる。
【発明の効果】
【００１３】
本発明によれば、両面読み取りを行うため、切り欠き原稿をスイッチバックしても、従来のように切り欠き原稿の破損や紙詰まりは生じない。従って、使いやすい読取装置、画像形成装置を提供することができる。
【図面の簡単な説明】
【００１４】
【図１】実施形態に係る複合機の一例を示す図である。
【図２】実施形態に係る読取装置の一例を示す図である。
【図３】実施形態に係る読取装置の一例を示す図である。
【図４】実施形態に係る読取装置での通常の両面読み取りでの搬送ユニットの動作の流れの一例を示すフローチャートである。
【図５】（ａ）は排出搬送路に原稿を導く可動ガイド板の状態を示し、（ｂ）は反転ローラー対に原稿を導く可動ガイド板の状態を示し、（ｃ）は第３搬送路に原稿を導く可動ガイド板の状態を示す図である。
【図６】切り欠き原稿の一例を示す図である。
【図７】両面読み取りで切り欠き原稿をスイッチバックしたときの一例を示す図である。
【図８】実施形態に係る読取装置での切り欠き原稿の両面読み取りでの搬送ユニットの動作の流れの一例を示すフローチャートである。
【図９】実施形態に係る切り欠き原稿設定画面である。
【図１０】実施形態に係る原稿センサーの設置例の一例を示す図である。
【図１１】実施形態に係る調整原稿の一例を示す図である。
【図１２】実施形態に係るタイミング調整モードでの調整原稿の搬送の流れの一例を示す図である。
【発明を実施するための形態】
【００１５】
以下、図１〜図１２を用いて、実施形態に係る読取装置１を含む画像形成装置を説明する。なお、読取装置１は搬送ユニット２、読取ユニット３、操作パネル４を含む（詳細は後述）。本説明では、画像形成装置として、複合機１００を例に挙げて説明する。但し、各実施の形態に記載される構成、配置等の各要素は、発明の範囲を限定せず単なる説明例にすぎない。
【００１６】
（複合機１００の概要）
まず、図１を用いて、実施形態に係る複合機１００の概要を説明する。図１は、実施形態に係る複合機１００の一例を示す図である。
【００１７】
複合機１００は、主制御部５を含む。主制御部５は、複合機１００に含まれる各部を制御する。主制御部５は、ＣＰＵ５１や、印刷や送信に用いる画像データに対して画像処理を行う画像処理部５２や、その他の電子回路や素子を含む。ＣＰＵ５１は、記憶部５３に記憶される制御プログラムや制御用データに基づき複合機１００の各部の制御や演算を行う。記憶部５３は、ＲＯＭ、フラッシュＲＯＭ、ＨＤＤのような不揮発性の記憶装置と、ＲＡＭのような揮発性の記憶装置の組み合わせである。
【００１８】
複合機１００の上部に搬送ユニット２と読取ユニット３が設けられる。主制御部５は、読取装置１に動作指示を与え、原稿を読み取らせる。原稿の読み取りで得られた画像データは、印刷（コピー機能）や、送信（スキャン送信機能）に用いられたり、記憶部に蓄積されたりする（ボックス機能）。なお、読取装置１の詳細は後述する。
【００１９】
また、複合機１００は操作パネル４を含む。操作パネル４は、パネル制御部４１、表示パネル４２、タッチパネル部４３を含む。表示パネル４２は、設定画面やソフトキーのような設定用画像を表示する。タッチパネル部４３は、表示パネル４２に対して設けられ、表示パネル４２のタッチ位置を示す信号を出力する。パネル制御部４１は、表示パネル４２の表示を制御し、タッチパネル部４３の出力信号に基づき、使用者の操作した設定用画像を認識する。そして、パネル制御部４１は、使用者の設定を受け付け、なされた操作に応じた画面を表示パネル４２に表示させる。
【００２０】
また、操作パネル４は、原稿の両面を読み取るか、原稿の片面のみ読み取るかの設定を受け付ける。また、操作パネル４は、切り欠き原稿モード（詳細は後述）で読み取りを行うか否かの設定も受け付ける。このように、操作パネル４は、読取装置１の動作に関する設定にも用いられる。従って、操作パネル４は、読取装置１の設定も受け付ける。
【００２１】
また、複合機１００は、内部に印刷部６を含む。印刷部６は、給紙部６ａ、搬送部６ｂ、画像形成部６ｃ、定着部６ｄを含む。給紙部６ａは、複数枚の用紙を収容し、印刷のとき、用紙を送り出す。搬送部６ｂは、給紙部６ａから供給された用紙を搬送し、機外に定着後の用紙を排出する。画像形成部６ｃは、印刷に用いる画像データに基づき、トナー像を形成し、用紙にトナー像を転写する。定着部６ｄは、トナー像が転写された用紙を加熱・加圧し用紙にトナー像を定着させる。主制御部５は、印刷部６の動作を制御する。
【００２２】
主制御部５には、通信部５４が接続される。主制御部５は、通信部５４の動作、通信処理を制御する。通信部５４は、ＰＣやサーバーのようなコンピューター２００やファクシミリ装置３００と通信を行うためのインターフェイスである。そして、主制御部５は、コンピューター２００やファクシミリ装置から受信した印刷用データに基づき印刷部６に印刷を行わせる（プリント機能）。
【００２３】
（読取装置１）
次に、図２、図３を用いて、実施形態に係る読取装置１を説明する。図２、図３は、実施形態に係る読取装置１の一例を示す図である。
【００２４】
読取装置１は、搬送ユニット２と読取ユニット３を含む。搬送ユニット２は、読取ユニット３の上方に設けられる。搬送ユニット２は、読取位置（読取ユニット３の送り読取用コンタクトガラス３１ａ）に向け原稿を搬送する。搬送ユニット２は、図２の紙面奥側を支点として読取ユニット３に対して上下方向に開閉自在に取り付けられる。搬送ユニット２は読取ユニット３の各コンタクトガラスを上方から押さえるカバーとしても機能する。
【００２５】
搬送ユニット２は、用紙の搬送を制御する搬送制御部２０を含む。搬送制御部２０は、ＣＰＵ２０ａ、メモリー２０ｂを含む。メモリー２０ｂは、原稿搬送制御に関するプログラムやデータを記憶する。ＣＰＵ２０ａは、メモリー２０ｂに記憶されたプログラムやデータを用いて原稿搬送を制御する。
【００２６】
図３に示すように、搬送ユニット２は、原稿がセットされる原稿トレイ２１を含む。搬送ユニット２は、原稿搬送方向の上流側から順に、給紙ローラー２２、分離搬送部２３、レジストローラー対２４、第１搬送ローラー対２５ｂ、第２搬送ローラー対２５ｃ、第３搬送ローラー対２５ｄ、排出ローラー対２６、反転ローラー対２７（搬送回転体に相当）、可動ガイド板２９のような原稿を搬送、排出するための回転体を含む。読み取り完了後の原稿は排出口２８から原稿排出トレイ２１ａに排出される。
【００２７】
なお、分離搬送部２３は、駆動ローラー２３ｂ、従動ローラー２３ｃ、給紙ベルト２３ｄ、分離ローラー２３ｅを含む。給紙ベルト２３ｄは、駆動ローラー２３ｂ、従動ローラー２３ｃに張架される。原稿搬送時、駆動ローラー２３ｂ、従動ローラー２３ｃ、給紙ベルト２３ｄは、原稿搬送方向に回転する。分離ローラー２３ｅは、原稿搬送方向と逆方向に回転する。重送が生じているとき、分離ローラー２３ｅは、重なった原稿のうち下方の原稿を分離し、原稿トレイ２１方向に送り返す。
【００２８】
また、搬送ユニット２は、給紙モーター２２ａ、分離モーター２３ａ、レジストクラッチ２４ａ、搬送モーター２５ａ、反転モーター２７ａ、ガイドモーター２９ａを含む（図２参照）。給紙モーター２２ａは給紙ローラー２２と駆動ローラー２３ｂを回転させる。分離モーター２３ａは、分離搬送部２３中の分離ローラー２３ｅを動作させる。搬送モーター２５ａは、第１搬送ローラー対２５ｂ、第２搬送ローラー対２５ｃ、第３搬送ローラー対２５ｄ、排出ローラー対２６を回転させる。反転モーター２７ａは、反転ローラー対２７を回転させる。なお、反転モーター２７ａは、正方向と逆方向に回転可能である。ガイドモーター２９ａは可動ガイド板２９を回動させる。搬送制御部２０は、各モーターの動作を制御する。
【００２９】
また、搬送ユニット２は、原稿を導く通路として第１搬送路７１、第２搬送路７２、第３搬送路７３、排出搬送路７４を含む。第１搬送路７１は、給紙ローラー２２から読取位置（送り読取用コンタクトガラス３１ａ）までの通路である。第１搬送路７１に沿って、レジストローラー対２４、第１搬送ローラー対２５ｂ、第２搬送ローラー対２５ｃが設けられる。第２搬送路７２は、読取位置から反転ローラー対２７までの通路である。第２搬送路７２には、第３搬送ローラー対２５ｄ、反転ローラー対２７が設けられる。第３搬送路７３は、一端が第１搬送路７１に接続され他端が第２搬送路７２に接続される。また、第３搬送路７３は、スイッチバックされた原稿を通過させて読取位置の上流側に送り返すための搬送路である。排出搬送路７４は、一端が排出口２８に接続され、他端が第２搬送路７２と接続される。排出搬送路７４には、排出ローラー対２６が設けられる。
【００３０】
ここで、反転ローラー対２７は、正回転して原稿をニップしつつ原稿の一部を機外に排出した状態で停止し、その後逆回転して原稿を第３搬送路７３に送り込むスイッチバック動作を行う。
【００３１】
また、第２搬送路７２の途中に（第３搬送ローラー対２５ｄと排出ローラー対２６の間に）、可動ガイド板２９が設けられる。可動ガイド板２９は、回転し、原稿の搬送経路を切り替える。可動ガイド板２９を回転させるため、ガイドモーター２９ａが設けられる。原稿の両面読み取りを行うとき、可動ガイド板２９は回転し、原稿を反転ローラー対２７の方向に導く。一方、原稿の片面のみを読み取るとき、あるいは、両面読み取りの完了により原稿を排出するとき、可動ガイド板２９は、反転ローラー対２７に向かう経路を閉じ、原稿を排出ローラー対２６（排出搬送路７４）に導く。
【００３２】
また、搬送ユニット２は、原稿セットセンサーＳ１、タイミングセンサーＳ２（検知部に相当）、レジストセンサーＳ３、排出センサーＳ４のようなセンサーを含む。原稿セットセンサーＳ１は、原稿トレイ２１に設けられる。原稿セットセンサーＳ１は、透過型光センサーや反射型光センサーのようなセット原稿の有無に応じて出力が変化するセンサーである。搬送制御部２０は、原稿セットセンサーＳ１の出力に基づき原稿トレイ２１にセットされている原稿があるか否かを認識する。
【００３３】
タイミングセンサーＳ２、レジストセンサーＳ３は、設置位置（検知域）に原稿が存在しているか否かを検知するためのセンサーである。タイミングセンサーＳ２、レジストセンサーＳ３は、原稿が接すると回転する（位置が動く）アクチュエーターを備え、アクチュエーターの位置によって光の透過状態が変わる透過型の光センサーである。
【００３４】
レジストセンサーＳ３は、第１搬送路７１におけるレジストローラー対２４の上流側近傍に設けられる。搬送制御部２０は、レジストセンサーＳ３の出力に基づき、原稿がレジストセンサーＳ３の設置位置（レジストローラー対２４）に到達しているか、及び、原稿が検知域を通過したか否かを認識する。
【００３５】
タイミングセンサーＳ２は、第１搬送路７１における読取位置（読み取りライン）よりも上流側に設けられる。具体的には、レジストセンサーＳ３よりも下流側であって、第２搬送ローラー対２５ｃの上流側近傍にタイミングセンサーＳ２が設けられる。搬送制御部２０は、タイミングセンサーＳ２の出力に基づき、原稿がタイミングセンサーＳ２の設置位置（読取位置の手前まで）に到達しているか、及び、原稿が検知域を通過したか否かを認識する。
【００３６】
排出センサーＳ４は、原稿排出トレイ２１ａへの原稿の排出口２８近傍に設けられる。具体的には、排出ローラー対２６よりも下流側に排出センサーＳ４が設けられる。搬送制御部２０は、排出センサーＳ４の出力に基づき、原稿が原稿排出トレイ２１ａに排出されたか否かを認識する。
【００３７】
一方、読取ユニット３は、読み取りを制御する読取制御部３０を含む。読取制御部３０は、ＣＰＵ３０ａ、メモリー３０ｂを含む。メモリー３０ｂは、原稿読み取りに関するプログラムやデータを記憶する。ＣＰＵ３０ａは、メモリー３０ｂに記憶されたプログラムやデータを用いて原稿の読み取りを制御する。
【００３８】
読取ユニット３は、上面に送り読取用コンタクトガラス３１ａと載置読取用コンタクトガラス３１ｂを含む（図３参照）。また、読取ユニット３は、第１移動枠３２、第２移動枠３３、ワイヤー３４、巻き取りドラム３５、レンズ３６、イメージセンサー３７を含む。第１移動枠３２にはランプ３８と第１ミラー３９ａが設けられる。第２移動枠３３には第２ミラー３９ｂと第３ミラー３９ｃが設けられる。
【００３９】
ランプ３８は原稿に光を照射する。原稿の反射光が各ミラーによってレンズ３６に導かれる。そして、レンズ３６は、反射光を集光し、イメージセンサー３７に入射する。イメージセンサー３７は、入射光を光電変換する。また、ワイヤー３４は、第１移動枠３２と第２移動枠３３に接続され、他端が巻き取りドラム３５に接続される。巻き取りドラム３５を回転させることにより、読み取りライン（ランプ３８の照射位置）を移動させることができる。
【００４０】
載置読取用コンタクトガラス３１ｂにセットされた原稿を読み取るとき、読取制御部３０は、巻き取りドラム３５を回転させる巻き取りモーター３５ａを回転させ、読み取りラインの位置を載置読取用コンタクトガラス３１ｂの左端から右端にむけて移動させる。一方、送り読取用コンタクトガラス３１ａ（読取位置）の上側を通過する原稿を読み取るとき（送り読み取りのとき）、読取制御部３０は、巻き取りモーター３５ａを回転させ、読み取りラインの位置を送り読取用コンタクトガラス３１ａの範囲内の何れかの位置にあわせる。なお、搬送ユニット２には、送り読取用コンタクトガラス３１ａの上面に対応する位置に白ガイド板が設けられる。
【００４１】
原稿読取時、イメージセンサー３７は、１ライン分の複数画素（受光素子）のアナログ信号を出力する。読取ユニット３に設けられた読み取りデータ処理部３０ｃは、アナログ信号の調整、ＡＤ変換、得られた画像データの補正を行う。このようにして、原稿の読み取りに基づく画像データが得られる。
【００４２】
（通常原稿の両面読み取り）
次に、図４、図５を用いて、実施形態に係る読取装置１での通常原稿（切り欠きの無い原稿）の両面読み取りを説明する。図４は、実施形態に係る読取装置１での通常の両面読み取りでの搬送ユニット２の動作の流れの一例を示すフローチャートである。図５（ａ）は排出搬送路７４に原稿を導く可動ガイド板２９の状態を示し、（ｂ）は反転ローラー対２７に原稿を導く可動ガイド板２９の状態を示し、（ｃ）は第３搬送路７３に原稿を導く可動ガイド板２９の状態を示す。
【００４３】
以下では、原稿を搬送しつつ（送り読み取りで）、１枚の原稿の両面を読み取るときの流れを説明する。複数枚の原稿がセットされているとき、原稿ごとに、図４のフローチャートが実行される。
【００４４】
図４のスタートの前の状態は、搬送制御部２０が原稿トレイ２１への原稿セットを認識している状態である。また、操作パネル４が、原稿の両面を読み取ることを受け付けている状態である。しかし、切り欠き原稿モードの適用する旨の入力は受け付けていない状態である。そして、図４のスタートは、この状態で、読取ジョブの実行指示が操作パネル４になされた時点である。言い換えると、使用者が切り欠き原稿モードを設定せず、通常の両面読み取り（通常原稿の両面読み取り）の実行を指示した時点である。
【００４５】
搬送制御部２０は、給紙モーター２２ａの回転を開始させ、給紙ローラー２２と分離搬送部２３に原稿の給紙を行わせる（ステップ♯１１）。また、搬送制御部２０は、レジストセンサーＳ３（レジストローラー対２４）への原稿到達を認識する（ステップ♯１２）。このとき、原稿の斜行矯正のため、給紙を続けた状態で原稿をレジストローラー対２４に突き当てて原稿を撓ませる。
【００４６】
搬送制御部２０は、レジストセンサーＳ３の原稿到達検知から予め定められた撓み生成時間が経過するとレジストローラー対２４に２次給紙を行わせ、原稿を搬送させる（ステップ♯１３）。具体的に、搬送制御部２０は、搬送モーター２５ａを回転させレジストクラッチ２４ａを連結する。その結果、レジストローラー対２４、第１搬送ローラー対２５ｂ、第２搬送ローラー対２５ｃ、第３搬送ローラー対２５ｄ及び排出ローラー対２６が回転し、原稿が搬送される。なお、フローチャートで図示しないが、レジストセンサーＳ３が原稿後端通過を検知したとき、搬送制御部２０は、レジストクラッチ２４ａを解放し、次の原稿が給紙されないように、給紙モーター２２ａの回転を停止させる。
【００４７】
やがて搬送制御部２０は、タイミングセンサーＳ２の出力に基づき、タイミングセンサーＳ２の設置位置（検知域）への原稿先端の到達を認識する（ステップ♯１４。先端到達時点の認識）。続いて、搬送制御部２０は、スイッチバックを行うか否かを確認する（ステップ♯１５）。搬送制御部２０は、反転ローラー対２７に２回スイッチバック動作を行わせ、その後、排出口２８からの原稿排出を排出ローラー対２６に行わせる。スイッチバックが１回だと、セット時と排出時で原稿の表裏が逆になる。そこで、スイッチバックを２回行うことにより、セット時と排出時の原稿の表裏を一致させる。
【００４８】
従って、現在の原稿でのスイッチバックの実行回数がゼロ又は１回のとき（現在の原稿の先端到達の認識回数が１回目又は２回目のとき）、搬送制御部２０は、スイッチバックを行うと判断する（ステップ♯１５のＹｅｓ）。一方、既にスイッチバックを２回しているとき、搬送制御部２０は、スイッチバックを行わず、原稿を原稿排出トレイ２１ａに排出すると判断する（ステップ♯１５のＮｏ）。
【００４９】
原稿を原稿排出トレイ２１ａに排出するとき（ステップ♯１５のＮｏ）、搬送制御部２０は、ガイドモーター２９ａを回転させ、可動ガイド板２９を排出搬送路７４に原稿を導く状態とする（図５（ａ）の状態）。そして、搬送制御部２０は、原稿排出を排出センサーＳ４で認識し、全モーター（全回転体）の回転を停止させる（ステップ♯１６→エンド）。なお、原稿セットセンサーＳ１の出力に基づき原稿トレイ２１に原稿があると認識しているとき、搬送制御部２０は、搬送モーター２５ａのような一部のモーターを回転させ続けても良い。
【００５０】
一方、通常原稿の両面読み取りでスイッチバックを行うとき（ステップ♯１５のＹｅｓ）、搬送制御部２０は、スイッチバックのため、反転モーター２７ａの正回転を開始させ、反転ローラー対２７を正方向（反転ローラー対２７から機外に原稿を排出する方向）に回転させる（ステップ♯１７）。このとき、搬送制御部２０は、ガイドモーター２９ａを回転させ、可動ガイド板２９を排出搬送路７４への経路を閉じる状態として（図５（ｂ）の状態）、原稿を反転ローラー対２７に導く。
【００５１】
原稿搬送が続き、やがて、搬送制御部２０は、タイミングセンサーＳ２の出力に基づき、原稿後端がタイミングセンサーＳ２の検知域を通過したことを認識する（ステップ♯１８、後端通過時点の認識）。
【００５２】
なお、読取制御部３０は、最初のタイミングセンサーＳ２の原稿の先端到達検知の時点（ステップ♯１４）から予め定められた表面開始時間が経過すると表面の読み取りを開始する。表面開始時間は、原稿の表面の先端から読み取りが開始されるように定められる。また、読取制御部３０は、２回目のタイミングセンサーＳ２の原稿の先端到達検知の時点（ステップ♯１４）から予め定められた裏面開始時間が経過すると裏面の読み取りを開始する。裏面開始時間は、原稿の裏面の先端から読み取りが開始されるように定められる。
【００５３】
また、読取ユニット３は、最初のタイミングセンサーＳ２の原稿の後端通過検知の時点（ステップ♯１８）から予め定められた表面終了時間が経過すると表面の読み取りを終了する。表面終了時間は、原稿の表面の後端で読み取りが終了するように定められる。また、読取ユニット３は、２回目のタイミングセンサーＳ２の原稿の後端通過検知の時点（ステップ♯１８）から予め定められた裏面終了時間が経過すると裏面の読み取りを終了する。裏面終了時間は、原稿の裏面の後端で読み取りが終了するように定められる。
【００５４】
続いて、搬送制御部２０は、後端通過時点から、予め定められた基準距離を搬送した時点で反転ローラー対２７を停止させる（ステップ♯１９）。
【００５５】
基準距離は、第３搬送路７３にスイッチバックされた原稿が送り込まれるように（原稿の後端が第２搬送路７２と第３搬送路７３の分岐位置７５を通過するように）定められる。具体的に基準距離は、タイミングセンサーＳ２の設置位置から分岐位置７５までの距離に基づき定められる。基準距離は、タイミングセンサーＳ２の設置位置から分岐位置７５までの距離よりも長い。また、基準距離は、タイミングセンサーＳ２の設置位置から反転ローラー対２７のニップまでの距離よりも短い。例えば、基準距離は、タイミングセンサーＳ２の設置位置から、分岐位置７５と反転ローラー対２７のニップの中間地点までの長さとしてもよい。このように、基準距離は、通常原稿を両面読み取りするとき、反転ローラー対２７を停止させた時点で確実に原稿の後端が分岐位置７５を通過し、かつ、確実に反転ローラー対２７が通常原稿をニップしている状態となる長さとされる。基準距離を示すデータは、メモリー２０ｂに予め記憶される（図２参照）。
【００５６】
ここで、反転モーター２７ａには、ステッピングモーターを用いることができる。ステッピングモーターの１パルス分の原稿の搬送距離は決まっている。そこで、搬送制御部２０は、タイミングセンサーＳ２を原稿の後端が通過した時点から基準距離に相当するパルスをステッピングモーターに入力した時点で反転モーター２７ａを停止させる。定速回転状態から停止までのスローダウンに必要なステップ数もわかっている。そこで、搬送制御部２０は、基準距離に相当するパルスよりもスローダウンに必要なステップ数遡った時点から反転モーター２７ａのスローダウンを開始する。
【００５７】
そして、搬送制御部２０は、反転モーター２７ａを逆回転させ、反転ローラー対２７を逆回転させる（ステップ♯１１０）。このとき、搬送制御部２０は、ガイドモーター２９ａを回転させて可動ガイド板２９を第２搬送路７２の上流側への経路を閉じる状態とする（図５（ｃ）の状態）。搬送制御部２０は、原稿を第３搬送路７３（レジストローラー対２４）に導く。
【００５８】
これにより、搬送制御部２０は、第１搬送路７１に（レジストローラー対２４の上流側に）原稿を送り返す（ステップ♯１１１）。なお、原稿サイズによりタイミングが異なるのでフローチャートには図示しないが、搬送制御部２０は、レジストセンサーＳ３での後端通過検知、又は、タイミングセンサーＳ２での原稿の先端到達検知の時点で反転モーター２７ａを停止させる。ステップ♯１１１の後、第１搬送路７１への原稿の合流により、搬送制御部２０は、レジストセンサーＳ３（レジストローラー対２４）への原稿到達を認識する（ステップ♯１２に戻る）。以下、原稿排出トレイ２１ａに原稿が排出されるまで、フローが続く。
【００５９】
（切り欠き原稿８の両面読み取り）
次に、図６〜図１０を用いて、実施形態に係る読取装置１での切り欠き原稿８の両面読み取りを説明する。図６は、切り欠き原稿８の一例を示す図である。図７は、両面読み取りで切り欠き原稿８をスイッチバックしたときの一例を示す図である。図８は、実施形態に係る読取装置１での切り欠き原稿８の両面読み取りでの搬送ユニット２の動作の流れの一例を示すフローチャートである。図９は、実施形態に係る切り欠き原稿設定画面４４である。図１０は、実施形態に係る原稿センサーＳ５の設置例の一例を示す図である。
【００６０】
読取装置１（複合機１００）は切り欠き原稿モードを有する。切り欠き原稿モードは切り欠き原稿８を破損させたり、詰まらせたりすることなく読み取るためのモードである。
【００６１】
切り欠き原稿８は、原稿の原稿搬送方向の後端の一部が欠けている原稿である。読取装置１では、切り取りのような加工によって、一部が欠けた原稿を読み取ることがある。図６では、後端が凹字状に切り取られた切り欠き原稿８を例示している。本説明での切り欠き原稿８は切り欠き部分８１がタイミングセンサーＳ２の検知域を通過する原稿である（図６参照）。
【００６２】
搬送制御部２０は、タイミングセンサーＳ２の出力が原稿有りを検知しているときのレベルから、原稿無しを検知しているときのレベルに変化した時点（Ｈｉｇｈ→Ｌｏｗ、又は、Ｌｏｗ→Ｈｉｇｈに変化した時点）を認識する。つまり、搬送制御部２０は、切り欠き原稿８の後端８ａ（図６参照）がタイミングセンサーＳ２の設置位置を通過した時点（後端通過時点）を認識する。
【００６３】
切り欠き部分８１とタイミングセンサーＳ２の位置（検知域）が重なっているとき、搬送制御部２０は、切り欠き原稿８の最後端８ｂ（図６参照）が切り欠き原稿８の搬送方向におけるタイミングセンサーＳ２の位置（設置ライン。タイミングセンサーＳ２の位置を通り、切り欠き原稿８の搬送方向に垂直な方向のラインＳ２ａ。図６にて一点鎖線で図示）を通過していないのに、切り欠き原稿８の後端がラインＳ２ａを通過したと認識する。つまり、切り欠き原稿８では、切り欠きのため、その後端の通過が通常原稿よりも早く検知されることになる。具体的には、切り欠き部分８１の原稿搬送方向の幅（切り欠き幅Ｗ１）に相当する時間だけタイミングセンサーＳ２を用いた原稿後端の通過の検知が早くなる。
【００６４】
そのため、図７に示すように、切り欠き原稿８の最後端８ｂが第２搬送路７２と第３搬送路７３の分岐位置７５を通過していない状態で反転ローラー対２７の逆回転（スイッチバック）が開始される場合がある。切り欠き原稿８のスイッチバックの開始が早すぎると、切り欠き原稿８が逆送されたり、可動ガイド板２９に切り欠き原稿８が挟まったまま反転ローラー対２７の逆回転が行われたりする。その結果、切り欠き原稿８の破損やジャムが発生する場合がある。そこで、実施形態に係る読取装置１（複合機１００）は、切り欠き原稿８の両面読み取りにおいてジャムや破損を生じないようにするための切り欠き原稿モードを有する。
【００６５】
そこで、図８を用いて、１枚の切り欠き原稿８を搬送しつつ（送り読み取りで）、両面読み取りするときの流れを説明する。なお、複数枚の切り欠き原稿８が原稿トレイ２１にセットされているときにも、切り欠き原稿８ごとに図８のフローチャートが実行される。
【００６６】
図８のスタートの前の時点で、搬送制御部２０は、原稿トレイ２１への原稿セットを認識している状態である。また、操作パネル４が、原稿の両面を読み取ることを受け付けている状態である。また、操作パネル４が切り欠き原稿モードを適用する旨の入力を受け付けている状態である。そして、図８のスタートは、操作パネル４で読み取りジョブの実行が指示された時点である。言い換えると、使用者が切り欠き原稿８の両面読み取りの実行を指示した時点である。
【００６７】
このとき、切り欠き原稿８は、切り欠き部分８１が後側（上流側）となるように原稿トレイ２１にセットされる。これは、切り欠き部分８１を前側（下流側）にして切り欠き原稿８をセットすると、切り欠き原稿８がうまく給紙されない場合があることも考慮している。そこで、搬送制御部２０は、切り欠き部分８１が後側となるように原稿をセットすべき旨を表示パネル４２に表示させてもよい。
【００６８】
ステップ♯２１〜ステップ♯２８は、図４のステップ♯１１〜ステップ♯１８と同じである。説明は援用できる。そこで、内容を省略しつつ、ステップ♯２１〜２８を説明する。ステップ♯２１では、搬送制御部２０は、給紙モーター２２ａの回転を開始させ、給紙ローラー２２と分離搬送部２３に切り欠き原稿８の給紙を行わせる。ステップ♯２２では、搬送制御部２０は、レジストセンサーＳ３（レジストローラー対２４）への切り欠き原稿８の先端の到達を認識する。ステップ♯２３では、搬送制御部２０は、レジストローラー対２４に２次給紙を行わせ、切り欠き原稿８を搬送させる。ステップ♯２４では、搬送制御部２０は、タイミングセンサーＳ２の設置位置への切り欠き原稿８の先端の到達を認識する。ステップ♯２５では、搬送制御部２０は、スイッチバックを行うか否かを確認する。切り欠き原稿モードでも、搬送制御部２０は、反転ローラー対２７に２回スイッチバック動作を行わせ、その後排出口２８からの切り欠き原稿８の排出を排出ローラー対２６に行わせる。切り欠き原稿８を原稿排出トレイ２１ａに排出するとき（ステップ♯２５のＮｏ）、搬送制御部２０は、切り欠き原稿８の排出を排出センサーＳ４で認識し、全モーター（全回転体）の回転を停止させる（ステップ♯２６→エンド）。
【００６９】
一方、両面読み取りで切り欠き原稿モードが適用されているときであって、切り欠き原稿８のスイッチバックを行うとき（ステップ♯２５のＹｅｓ）、ステップ♯２７において、搬送制御部２０は、反転ローラー対２７を正方向（反転ローラー対２７から切り欠き原稿８を機外に排出する方向）に回転させる。ステップ♯２８では、搬送制御部２０は、タイミングセンサーＳ２の出力に基づき、タイミングセンサーＳ２の設置位置からの切り欠き原稿８の後端８ａの通過を認識する。
【００７０】
なお、切り欠き原稿モードでも、読取ユニット３は、最初のタイミングセンサーＳ２の原稿の先端到達検知の時点（ステップ♯２４）から予め定められた表面開始時間が経過すると表面の読み取りを開始する。また、２回目のタイミングセンサーＳ２の原稿の先端到達検知の時点（ステップ♯２４）から予め定められた裏面開始時間が経過すると裏面の読み取りを開始する。また、切り欠き原稿モードでも、読取ユニット３は、最初のタイミングセンサーＳ２の原稿の後端通過検知の時点（ステップ♯２８）から予め定められた表面終了時間が経過すると表面の読み取りを終了する。また、読取ユニット３は、２回目のタイミングセンサーＳ２の原稿の後端通過検知の時点（ステップ♯２８）から予め定められた裏面終了時間が経過すると裏面の読み取りを終了する。
【００７１】
続いて、搬送制御部２０は、原稿の後側（原稿搬送方向上流側）が切り欠き部分８１であるか否かを確認する（ステップ♯２９）。本実施形態では、原稿の後側（上流側）に切り欠き部分８１が位置するように、原稿はセットされる。
【００７２】
従って、スイッチバックを１度も行っていないとき（切り欠き原稿８の読み取りにおいて最初の原稿後端の通過の認識のとき）、搬送制御部２０は、原稿の後側（上流側）が切り欠き部分８１と判断する（ステップ♯２９のＹｅｓ）。一方、スイッチバックを行うと原稿の前後が逆転する。そこで、１回スイッチバックを行っているとき（切り欠き原稿８の読み取りにおいて２回目の原稿後端の通過の認識のとき）、搬送制御部２０は、原稿の前側（下流側）が切り欠き部分８１と判断する（ステップ♯２９のＮｏ）。
【００７３】
原稿の前側（下流側）が切り欠き部分８１と判断したとき（ステップ♯２９のＮｏ）、搬送制御部２０は、通常原稿の読み取りと同様に、後端通過時点から、予め定められた基準距離を搬送した時点で反転ローラー対２７を停止させる（ステップ♯２１０）。
【００７４】
一方、原稿の後側（上流側）が切り欠き部分８１と判断したとき（ステップ♯２９のＹｅｓ）、搬送制御部２０は、後端通過時点から基準距離に追加距離を加えた距離だけ切り欠き原稿８を搬送した時点で反転ローラー対２７を停止させる（ステップ♯２１１）。つまり、両面読み取りかつ切り欠き原稿モードが適用されている場合、搬送制御部２０は、切り欠き原稿８の切り欠き部分８１が原稿の後側にある状態のとき、後端通過時点から基準距離に追加距離を加えた距離を搬送した時点で反転ローラー対２７を停止する。
【００７５】
ここで、図６で原稿搬送方向の切り欠き部分８１の幅（切り欠き幅Ｗ１）を図示している。追加距離は、予め定められた切り欠き幅Ｗ１、又は、認識された切り欠き幅Ｗ１に基づき定める。具体的に、追加距離は、切り欠き幅Ｗ１とできる。あるいは、追加距離は、完全に第２搬送路７２と第３搬送路７３の分岐位置７５から切り欠き原稿８の最後端８ｂが通過するように、切り欠き幅Ｗ１にマージンを加えた長さでもよい。
【００７６】
操作パネル４は、切り欠き幅Ｗ１の入力を受け付けてもよい。搬送制御部２０（又は主制御部５）は、切り欠き原稿モードの選択時（適用時）に、図９に示すような切り欠き原稿設定画面４４を表示パネル４２に表示させてもよい。
【００７７】
搬送制御部２０は、切り欠き原稿モードを用いるか（選択するか）否かを定めためのＯＮキーＫ１とＯＦＦキーＫ２を切り欠き原稿設定画面４４に表示させてもよい。使用者は切り欠き原稿モードを用いるとき、ＯＮキーＫ１を操作する。一方、使用者は、切り欠き原稿モードを用いないとき、ＯＦＦキーＫ２を操作する。図９は、切り欠き原稿モードを用いる設定がなされたため、ＯＮキーＫ１を反転状態で表示している例を示す。
【００７８】
また、搬送制御部２０は、切り欠き幅Ｗ１を手入力するための幅表示欄Ｃ１とプラスキーＫ３とマイナスキーＫ４を切り欠き原稿設定画面４４に表示させてもよい。プラスキーＫ３を１回操作するごとに、１ｍｍずつ幅表示欄Ｃ１内の切り欠き幅Ｗ１が増える。マイナスキーＫ４を１回操作するごとに、１ｍｍずつ幅表示欄Ｃ１内の切り欠き幅Ｗ１が減る。図９は、切り欠き幅Ｗ１が１０ｍｍに設定された状態を示す。
【００７９】
また、搬送制御部２０は、デフォルト値キーＫ５を切り欠き原稿設定画面４４に表示させてもよい。切り欠き幅Ｗ１がデフォルト値と一致するとき、使用者はデフォルト値キーＫ５を操作する。切り欠き幅Ｗ１のデフォルト値は予め定められる。デフォルト値は、メモリー２０ｂのような記憶装置に記憶される（図２参照）。操作パネル４は、デフォルト値を変更する入力を受け付ける。デフォルト値が変更されたとき、メモリー２０ｂは変更後のデフォルト値を記憶する。デフォルト値キーＫ５が操作されたとき、搬送制御部２０は、デフォルト値を切り欠き幅Ｗ１と扱う。
【００８０】
操作パネル４（表示パネル４２、タッチパネル部４３）での設定に基づき、搬送制御部２０は、入力された切り欠き幅Ｗ１を認識してもよい。また、搬送制御部２０は、認識した切り欠き幅Ｗ１、又は、認識した切り欠き幅Ｗ１に予め定められたマージンを加えた距離を追加距離と定める。
【００８１】
また、切り欠き幅Ｗ１を自動認識できるように搬送ユニット２を構成してもよい。この場合、第１搬送路７１の途中に原稿センサーＳ５を複数設ける。原稿センサーＳ５は、検知域に原稿が存在しているか否かを検知するためのセンサーである。原稿センサーＳ５はタイミングセンサーＳ２やレジストセンサーＳ３と同様の透過型や反射型の光センサーでよい。そして、原稿センサーＳ５は、原稿搬送方向で同じ位置であって、原稿搬送方向と垂直な方向（主走査方向）の異なる位置に複数設けることができる。言い換えると、原稿搬送方向と垂直な方向で一直線上に複数の原稿センサーＳ５を設けることができる。図１０は、タイミングセンサーＳ２を含めつつ、原稿搬送方向と垂直な方向で一直線上に、８つの原稿センサーＳ５を並べる例を示している。
【００８２】
そして、各原稿センサーＳ５の出力は、搬送制御部２０に入力される。そして、搬送制御部２０は、各原稿センサーＳ５及びタイミングセンサーＳ２が切り欠き原稿８の存在を検知している状態から存在を検知できなくなった時点（後端通過時点）を認識する。そして、搬送制御部２０は、最先の後端通過時点（切り欠き部分８１の後端８ａの通過に起因する出力変化）と最後の後端通過時点（切り欠き原稿８の最後端８ｂの通過に起因する出力変化）までの時間差を求める。なお、時間差が予め定められた許容範囲のとき、搬送制御部２０は、切り欠き無し、と判定する。搬送制御部２０は、求めた時間差に予め定められた原稿搬送速度を乗じた長さを切り欠き幅Ｗ１と認識する。そして、搬送制御部２０は、認識した切り欠き幅Ｗ１、又は、認識した切り欠き幅Ｗ１に予め定められたマージンを加えた距離を追加距離と定める。
【００８３】
ステップ♯２１０、ステップ♯２１１の後、搬送制御部２０は、反転モーター２７ａを逆回転させ、反転ローラー対２７を逆回転させる（ステップ♯２１２、図４のステップ♯１１０と同様）。これにより、切り欠き原稿８が第３搬送路７３に導かれ、搬送制御部２０は、第１搬送路７１に（レジストローラー対２４の上流側に）切り欠き原稿８を送り返す（ステップ♯２１３、図４のステップ♯１１１と同様、ステップ♯２２に戻る）。以下、原稿排出トレイ２１ａに切り欠き原稿８が排出されるまで、フローが続く。
【００８４】
（タイミング調整モード）
次に、図１１、図１２を用いて、切り欠き原稿モードの原稿読み取りの一態様としてタイミング調整モードを説明する。図１１は、実施形態に係るタイミング調整モードで用いる調整原稿９の一例を示す図である。図１２は、実施形態に係るタイミング調整モードでの調整原稿９の搬送の流れの一例を示す図である。
【００８５】
タイミング調整モードは、切り欠き原稿モードの一種である。タイミング調整モードは原稿の読み取り開始タイミング（表面開始時間、裏面開始時間）と読み取り終了タイミング（表面終了時間、裏面終了時間）を調整するためのモードである。タイミング調整モードは、予め用意された専用かつ同じ内容の切り欠き原稿８（調整原稿９）を２枚読み取るモードである。調整原稿９は、切り欠き原稿８の一種である。なお、調整原稿９以外の使用者が加工した切り欠き原稿８を読み取る場合、切り欠き原稿設定画面４４を表示させて設定を行えばよい。
【００８６】
まず、図１１を用いて調整原稿９を説明する。調整原稿９は、白地に計４本の黒帯が描かれた原稿である。原稿搬送方向（副走査方向）と平行な黒帯は２本である。一方の第１黒帯９１は、上側の原稿搬送方向の辺から所定幅Ｗ２内側に描かれる。他方の第２黒帯９２は、調整原稿９の下側の原稿搬送方向の辺から所定幅Ｗ２内側に描かれる。
【００８７】
原稿搬送方向と垂直な方向（主走査方向）の辺と平行な黒帯も２本である。一方の第３黒帯９３は、調整原稿９の前側（切り欠き部分８１がない側）の原稿搬送方向と垂直な辺から所定幅Ｗ２内側に描かれる。他方の第４黒帯９４は、調整原稿９の後側（切り欠き部分８１がある側）の原稿搬送方向と垂直な辺から所定幅Ｗ２内側に描かれる。各黒帯は直交する。各黒帯は、調整原稿９の一方の面に描かれ、他面は白紙状態である。所定幅Ｗ２は適宜定められる。本実施形態では、所定幅Ｗ２は、３ｍｍ〜数ｃｍの範囲内の長さに予め定められる（例えば、５ｍｍ）。調整原稿９のうち、原稿搬送方向での一方の端部は切り取られる。図１１に示すように、調整原稿９の切り欠き幅Ｗ１は、所定幅Ｗ２と同じである。つまり、タイミング調整モードで読み取る調整原稿９の切り欠き幅Ｗ１は予め定められている。搬送制御部２０は、予め定められた幅を切り欠き幅Ｗ１と認識する。
【００８８】
主制御部５は操作パネル４にタイミング調整モードを選択する所定の操作がなされたことを認識する。主制御部５は、搬送制御部２０、読取制御部３０にタイミング調整モードでの読み取りを指示する。タイミング調整モードによる調整は、工場出荷前の調整時や、サービスマンによるメンテナンス時に行われる。
【００８９】
次に、図１２を用いて、タイミング調整モードでの原稿搬送と読み取りの流れを説明する。図１２のうち、上側の図は、１枚目の調整原稿９の搬送と読み取りを説明するための図である。図１２のうち、下側の図は、２枚目の調整原稿９の搬送と読み取りを説明するための図である。
【００９０】
タイミング調整モードでは、各黒帯が描かれた面（表面）を上にして切り欠き部分８１が原稿の後側（上流側）となるように原稿トレイ２１に１枚目の調整原稿９をセットすることが予め決まっている（図１２の左上図参照）。また、各黒帯が描かれた面（表面）を下にして切り欠き部分８１が原稿の前側（原稿搬送方向下流側）となるように原稿トレイ２１に２枚目の調整原稿９をセットすることが予め決まっている（図１２左下図参照）。
【００９１】
図１２の上側の図を用いて、１枚目の調整原稿９の搬送と読み取りの流れを説明する。２枚の調整原稿９のうち、１枚目の調整原稿９は、表面開始時間と表面終了時間を定めるためのものである。
【００９２】
操作パネル４でタイミング調整モードでの読み取り開始が受け付けられると、図８のフローが開始される。そして、搬送制御部２０は、１枚目の調整原稿９の給紙、搬送を開始する（図８のステップ♯２３に対応）。調整原稿９の搬送によって、搬送制御部２０は、タイミングセンサーＳ２の出力に基づき、調整原稿９の先端到達を認識する（図８のステップ♯２４に対応）。搬送制御部２０はこの認識を読取制御部３０に通知する。読取制御部３０もタイミングセンサーＳ２の設置位置への調整原稿９の先端到達（先端到達時点）を認識する。なお、タイミングセンサーＳ２の出力を読取制御部３０に入力してもよい。
【００９３】
読取制御部３０は、タイミングセンサーＳ２への調整原稿９の先端到達時点から第１待ち時間だけ経過した時点で読み取りを開始する。第１待ち時間は、タイミングセンサーＳ２の設置位置から読み取りラインの位置までの距離を仕様上の搬送速度（理想的な搬送速度）で除した時間とされる。第１待ち時間は、理想的な速度で原稿が搬送される場合に、原稿のちょうど先端から読み取りを開始できる時間である。
【００９４】
原稿の搬送が続けられることによって、タイミングセンサーＳ２が調整原稿９の通過を検知する。搬送制御部２０は、タイミングセンサーＳ２の出力に基づき、調整原稿９の後端通過を認識する（図８のステップ♯２８に対応）。この場合、切り欠き部分８１が後端にあるので、調整用原稿の最後端よりも所定幅Ｗ２分だけ早く後端通過が検知される。この認識は、読取制御部３０に伝えられ、読取制御部３０もタイミングセンサーＳ２の設置位置からの原稿の後端通過を認識する（後端通過時点の認識）。
【００９５】
そして、読取制御部３０は、後端通過を認識した時点から第２待ち時間に追加読取時間を加えた時間が経過した時点に読み取りを終了する。第２待ち時間は、タイミングセンサーＳ２の設置位置から読み取りラインの位置までの距離を仕様上の搬送速度で除した時間とされる。追加読取時間は、所定幅Ｗ２を仕様上の搬送速度で除した時間とできる。切り欠きによって所定幅Ｗ２分早く後端通過が検知されるので、切り欠き側の第４黒帯９４よりも後端側を読み取れるように追加読取時間が加えられる。
【００９６】
読取制御部３０は、１枚目の調整原稿９の表面の読み取りで得られた画像データのうち、第３黒帯９３から原稿の前端方向に突出する第１黒帯９１と第２黒帯９２である前側突出黒帯９５の長さを確認する。具体的に、読取制御部３０は、前側の端から第１黒帯９１と第３黒帯９３の重複部分の右上又は右下隅の点までの原稿の前後方向のドット数（実ドット数）を求める。また、読取制御部３０は、前側の端から第２黒帯９２と第３黒帯９３の重複部分の右上又は右下隅の点までの原稿の前後方向のドット数（実ドット数）を求める。そして、読取制御部３０は、求めたドット数の平均値を求める。そして、読取制御部３０は、所定幅Ｗ２（切り欠き幅Ｗ１）に相当するドット数（理想ドット数）から求めた平均値を減じて第１ドット差を求める。
【００９７】
第１ドット差（理想ドット数−平均値）＞０のとき、各前側突出黒帯９５は、所定幅Ｗ２よりも短いので、読み取り開始タイミングが遅いとわかる。つまり、読み取りラインを先端が通過してから読み取りが開始されている。そこで、第１ドット差のドット数（ライン数）だけ早く読み取りが開始されるように、読取制御部３０は、第１待ち時間から（第１ドット差×１ラインあたりの読み取り時間）を減じた時間を新たな表面開始時間と設定する。なお、１ラインあたりの読み取り時間は、イメージセンサー３７の仕様上、予め決まっている。
【００９８】
第１ドット差（理想ドット数−平均値）＜０のとき、読み取り開始タイミングが早いとわかる。つまり、先端の読み取りライン到達前から読み取りが開始されている。ここで、原稿が無い状態では、白ガイド板を読み取る。そのため、この場合、調整原稿９の画像データでは、各前側突出黒帯９５よりも前側に白のドットが付加（挿入）される。そこで、第１ドット差（ドット数）の絶対値だけ遅く読み取りが開始されるように、読取制御部３０は、第１待ち時間に（第１ドット差×１ラインあたりの読み取り時間）を加えた時間を新たな表面開始時間と設定する。
【００９９】
なお、第１ドット差（理想ドット数−平均値）＝０のとき、読取制御部３０は、第１待ち時間を新たな表面開始時間と設定する。
【０１００】
一方、切り欠きのため、調整原稿９の最後端９ｂ（図１１参照）がタイミングセンサーＳ２の設置位置（設置ライン。タイミングセンサーＳ２の設置位置を通り、調整原稿９の搬送方向に垂直な方向のラインＳ２ａ。図１１にて一点鎖線で図示）を通過する前に調整原稿９の切り欠け部分８１の後端９ａ（図１１参照）の通過が検知される。しかし、追加読取時間が加えられているので、１枚目の調整原稿９の表面の読み取りで得られた画像データには、後側（切り欠き側）の第４黒帯９４から原稿の後端方向に突出する第１黒帯９１と第２黒帯９２（後側突出黒帯９６）が含まれる。
【０１０１】
読取制御部３０は、調整原稿９の画像データでの後側突出黒帯９６の長さを確認する。具体的に、読取制御部３０は、後側の端から第１黒帯９１と第４黒帯９４の重複部分の左上又は左下隅の点までの原稿の前後方向のドット数（実ドット数）を求める。また、読取制御部３０は、後側の端から第２黒帯９２と第４黒帯９４の重複部分の左上又は左下隅の点までの原稿の前後方向のドット数（実ドット数）を求める。そして、読取制御部３０は、求めたドット数の平均値を求める。そして、読取制御部３０は、所定幅Ｗ２に相当するドット数（理想ドット数）から求めた平均値を減じて第２ドット差を求める。
【０１０２】
第２ドット差（理想ドット数−平均値）＝０のとき、追加読取時間の間に理想通りの幅（所定幅Ｗ２、切り欠き幅Ｗ１）の画像が読み取られている。つまり、後端通過時点から第２待ち時間経過時点にちょうど調整原稿９の切り欠け部分８１の後端９ａが読み取りラインを通過し、第２待ち時間＋追加読取時間が経過した時点で調整原稿９の最後端９ｂが読み取りラインを通過している。つまり、理想通りの幅（所定幅Ｗ２、切り欠き幅Ｗ１）の画像が読み取られている。そこで、この場合、読取制御部３０は、第２待ち時間を新たな表面終了時間と設定する。
【０１０３】
第２ドット差（理想ドット数−平均値）＞０のとき、追加読取時間の間に読み取られるべき各後側突出黒帯９６の長さが足りていないことになる。つまり、第２待ち時間が短く（読み取り終了が早すぎ）、調整原稿９の切り欠き部分８１の後端９ａが読み取りラインを通過する前に第２待ち時間が終わり、第２待ち時間＋追加読取時間が経過した時点で調整原稿９の最後端９ｂが読み取りラインを通過していない。っている。そこで、第２ドット差のドット数（ドット数）だけ読み取り終了が遅くなるように、読取制御部３０は、第２待ち時間に（第２ドット差×１ラインあたりの読み取り時間）を加えた時間を新たな表面終了時間と設定する。
【０１０４】
第２ドット差（理想ドット数−平均値）＜０のとき、追加読取時間の間に読み取られるべき各後側突出黒帯９６＋余分な領域が読み取られている。原稿が無い状態では、白ガイド板を読み取る。そのため、この場合では、調整原稿９の画像データには、後側突出黒帯９６よりもさらに後側に白のドットが付加される。つまり、第２待ち時間が長く（読み取り終了が遅すぎ）、調整原稿９の切り欠き部分８１の後端９ａが読み取りラインを通過してから第２待ち時間が終わり、第２待ち時間＋追加読取時間が経過してから調整原稿９の最後端９ｂが読み取りラインを通過している。そこで、第２ドット差のドット数（ドット数）だけ読み取り終了が早くなるように、読取制御部３０は、第２待ち時間に（第２ドット差×１ラインあたりの読み取り時間）を減じた時間を新たな表面終了時間と設定する。
【０１０５】
１枚目の調整原稿９は、表面の読み取りの後、反転ローラー対２７に導かれる。このとき、切り欠き部分８１が後側にある。従って、搬送制御部２０は、後端通過時点から基準距離＋追加距離を搬送した時点で反転ローラー対２７の停止と逆回転の開始を行う（図８のステップ♯２１１に対応）。スイッチバックで表裏が逆転し、かつ、切り欠き部分８１が前側となって搬送される（図１２の上側真ん中の図参照）。なお、排出されるまで、以後、１枚目の調整原稿９の読み取りは不要である。
【０１０６】
原稿トレイ２１へのセット時の同じ表裏の関係で排出するため、搬送制御部２０は、１枚目の調整原稿９を再び反転ローラー対２７に導く。このとき、切り欠き部分８１は前側にある。従って、搬送制御部２０は、後端通過時点から基準距離を搬送した時点で反転ローラー対２７の停止と逆回転の開始を行う（図８のステップ♯２１０に対応）。２回のスイッチバックの後、タイミングセンサーＳ２を通過した１枚目の調整原稿９は、原稿排出トレイ２１ａに排出される（図１２の右上の図参照）。
【０１０７】
１枚目の調整原稿９の排出後、搬送制御部２０は、２枚目の調整原稿９の給紙、搬送を開始する（図８のステップ♯２３に対応、図１２の左下の図参照）。２枚目の調整原稿９は切り欠き部分８１を前側、かつ、各黒帯が描かれた面を下側にセットするので、最初の読み取りライン通過時の読み取りは不要である。
【０１０８】
搬送制御部２０は、２枚目の調整原稿９を反転ローラー対２７に導く。このとき、切り欠き部分８１は前側にある。従って、搬送制御部２０は、後端通過時点から基準距離を搬送した時点で反転ローラー対２７の停止と逆回転の開始を行う（図８のステップ♯２１０に対応）。２枚目の調整原稿９は、１回目のスイッチバックにより、切り欠き部分８１が後側、送り読取用コンタクトガラス３１ａと、各黒帯が描かれた面が対向する状態となる（図１２の下側真ん中の図参照）。
【０１０９】
１枚目と同様に、読取制御部３０は、タイミングセンサーＳ２が調整原稿９の先端到達を認識した時点（先端到達時点）から第１待ち時間だけ経過した時点で読み取りを開始する。また、読取制御部３０は、タイミングセンサーＳ２が調整原稿９の後端９ａの通過を認識した時点（後端通過時点）から第２待ち時間に追加読取時間を加えた時間が経過した時点に読み取りを終了する。そして、読取制御部３０は、１枚目の調整原稿９のときと同様に、２枚目の調整原稿９の読み取りで得られた画像データの前側突出黒帯９５の長さを確認し、第１ドット差を求め、裏面開始時間を設定する。また、読取制御部３０は、１枚目の調整原稿９のときと同様に、２枚目の調整原稿９の読み取りで得られた画像データの後側突出黒帯９６の長さを確認し、第２ドット差を求め、裏面終了時間を設定する。
【０１１０】
このようにして、実施形態に係る読取装置１は、操作パネル４、読取ユニット３、搬送ユニット２、を備える。操作パネル４は、設定を受け付ける。読取ユニット３は、読取装置１を通過する原稿を読み取る。搬送ユニット２は、原稿トレイ２１にセットされた原稿を送り出す給紙ローラー２２と、給紙ローラー２２から読取位置までの第１搬送路７１と、第１搬送路７１に設けられ原稿が存在しているか否かを検知する検知部（タイミングセンサーＳ２）と、正回転して原稿をニップしつつ原稿の一部を外部に排出した状態で停止しその後逆回転する反転ローラー対２７と、読取位置から反転ローラー対２７までの第２搬送路７２と、一端が第１搬送路７１に接続され他端が第２搬送路７２に接続されスイッチバックされた原稿を通過させて読取位置の上流側に送り返すための第３搬送路７３と、原稿搬送を制御する搬送制御部２０と、を含む。反転ローラー対２７は、逆回転したとき原稿を第３搬送路７３に送り込む。操作パネル４は、原稿の両面読取と、原稿の原稿搬送方向の後端の一部が欠け、欠けている部分が検知部（タイミングセンサーＳ２）の検知域を通過する切り欠き原稿８を読み取る切り欠き原稿モードの適用を受け付ける。原稿の両面読み取りの場合、切り欠き原稿モードが適用されていないとき、搬送制御部２０は、検知部（タイミングセンサーＳ２）が原稿有りを検知している状態から原稿無しを検知した時点である後端通過時点から、予め定められた基準距離、原稿を搬送した時点で反転ローラー対２７を停止させ、それから反転ローラー対２７の逆回転を開始させる。原稿の両面読み取りの場合、切り欠き原稿モードが適用されているとき、搬送制御部２０は、後端通過時点から予め定められた又は認識された原稿搬送方向の切り欠き幅Ｗ１に基づき定めた追加距離を基準距離に加えた距離、原稿を搬送した時点で反転ローラー対２７を停止させ、反転ローラー対２７の逆回転を開始させる。
【０１１１】
これにより、切り欠き部分８１とセンサーの検知域の重なりのため、後端通過を検知すべき時点（最後端８ｂ、９ｂが通過する時点）よりも早く後端通過が検知されても、反転ローラー対２７は原稿の最後端８ｂ、９ｂが分岐点を通過してからスイッチバック動作を開始する。従って、切り欠き原稿８をスイッチバックしても、切り欠き原稿８及び調整原稿９の破損と詰まり（ジャム）を防ぐことができる。そのため、使いやすい読取装置１を提供することができる。ここで、基準距離は、第３搬送路７３にスイッチバックされた原稿が送り込まれるように検知部（タイミングセンサーＳ２）の設置位置から記第２搬送路７２と第３搬送路７３の分岐位置７５までの距離に基づき定められた距離である。
【０１１２】
また、原稿の両面読み取りで切り欠き原稿モードが適用されている場合、搬送制御部２０は、切り欠き原稿８の切り欠き部分８１が原稿の後側にある状態のとき、後端通過時点から基準距離に追加距離を加えた距離を搬送した時点で反転ローラー対２７を停止させ、それから反転ローラー対２７の逆回転を開始させ、切り欠き原稿８の切り欠き部分８１が原稿の前側ある状態のとき、後端通過時点から基準距離を搬送した時点で反転ローラー対２７を停止させ、それから反転ローラー対２７の逆回転を開始させる。
【０１１３】
これにより、切り欠きが原稿の搬送方向の前側にあるとき、検知部（タイミングセンサーＳ２）は、原稿の最後端の通過時に後端通過を検知するので、追加距離を加える必要がない。一方、切り欠きが原稿の搬送方向の後側にあるとき、検知部は、原稿の切り欠き部分８１の後端８ａ、９ａの通過時に後端通過を検知するので、追加距離を加える必要がある。従って、必要なときにだけ後端通過時点からスイッチバック動作開始までの原稿搬送距離を伸ばすことができる。そのため、切り欠き原稿８の読取時、適切に原稿の搬送を行うことができる。
【０１１４】
また、読取装置１は、第２搬送路７２の途中と排出口２８に接続された排出搬送路７４と、可動して、原稿を前記反転ローラー対２７又は前記排出口２８に導く可動ガイド板２９を含む。搬送制御部２０は、反転ローラー対２７に原稿の２回スイッチバックを行わせ、２回のスイッチバックが行われるまで反転ローラー対２７に原稿を導くように可動ガイド板２９を移動させ、２回のスイッチバックがなされると、排出口２８に原稿を導くように可動ガイド板２９を移動させる。これにより、セットされた原稿と同じ表裏の状態で切り欠き原稿８を排出することができる。しかも、複数回、切り欠き原稿８のスイッチバックを行っても、切り欠き原稿８の詰まりや破損は生じない。
【０１１５】
また、操作パネル４は、切り欠き幅Ｗ１の入力を受け付ける。搬送制御部２０は、入力された切り欠き幅Ｗ１を認識し、認識した切り欠き幅Ｗ１、又は、認識した切り欠き幅Ｗ１に予め定められたマージンを加えた距離を追加距離と定める。これにより、切り欠き原稿８の最後端が第２搬送路７２と第３搬送路７３の分岐点を通過し、かつ、原稿が反転ローラー対２７を通過しきる前の適切なタイミングで反転ローラー対２７にスイッチバック動作を行わせることができる。
【０１１６】
また、第１搬送路７１の途中に、原稿が存在しているか否かを検知するための原稿センサーＳ５を主走査方向の異なる位置に複数設けてもよい。搬送制御部２０は、原稿の存在を検知している状態から存在を検知できなくなった時点までの各原稿センサーＳ５の時間差に予め定められた原稿搬送速度を乗じて切り欠き幅Ｗ１を認識し、認識した切り欠き幅Ｗ１、又は、認識した切り欠き幅Ｗ１に予め定められたマージンを加えた距離を追加距離と定める。これにより、切り欠き原稿８の最後端が第２搬送路７２と第３搬送路７３の分岐点を通過し、かつ、原稿が反転ローラー対２７を通過しきる前の適切なタイミングで反転ローラー対２７にスイッチバック動作を行わせることができる。しかも、自動的に切り欠き幅Ｗ１が認識され、使用者による切り欠き幅Ｗ１の入力の手間を省くことができる。
【０１１７】
また、切り欠き原稿モードは、切り欠き原稿８であって原稿の読み取り開始タイミングと読み取り終了タイミングを調整するための調整原稿９を読み取るタイミング調整モードが含まれる。読取ユニット３は、読み取り位置を通過する原稿に光を照射するランプ３８と、原稿を読み取るためのイメージセンサー３７と、ランプ３８及びイメージセンサー３７の動作を制御する読取制御部３０を含む。タイミング調整モードのとき、読取制御部３０は、調整原稿９の読み取り結果に基づき原稿の読み取り開始タイミングと読み取り終了タイミングを調整する。これにより、調整原稿９を用いて原稿を正確に読み取るための調整を行うことができる。しかも、調整原稿９が破損しにくくなり、１枚の調整原稿９を何度も使い回すことができる。
【０１１８】
また、画像形成装置（複合機１００）は、上述の読取装置１を含む。これにより、切り欠き原稿８のスイッチバック時の切り欠き原稿８の破損や紙詰まりがなく、原稿読み取りの行いやすい画像形成装置を提供することができる。
【産業上の利用可能性】
【０１１９】
本発明は、切り欠き原稿を読み取る読取装置、読取装置を含む画像形成装置に利用可能である。
【符号の説明】
【０１２０】
１００  複合機（画像形成装置）          １      読取装置
２      搬送ユニット                    ２１    原稿トレイ
２０    搬送制御部                      ２２    給紙ローラー
２７    反転ローラー対                  ２８    排出口
２９    可動ガイド板                    ３      読取ユニット
３０    読取制御部                      ３７    イメージセンサー
３８    ランプ                          ４      操作パネル
７１    第１搬送路                      ７２    第２搬送路
７３    第３搬送路                      ７４    排出搬送路
８      切り欠き原稿                    ９      調整原稿
Ｓ２    タイミングセンサー（検知部）    Ｓ５    原稿センサー
Ｗ１    切り欠き幅
【図１】
0006361620.tif 000002
【図２】
0006361620.tif 000003
【図３】
0006361620.tif 000004
【図４】
0006361620.tif 000005
【図５】
0006361620.tif 000006
【図６】
0006361620.tif 000007
【図７】
0006361620.tif 000008
【図８】
0006361620.tif 000009
【図９】
0006361620.tif 000010
【図１０】
0006361620.tif 000011
【図１１】
0006361620.tif 000012
【図１２】
0006361620.tif 000013